(57)【要約】【課題】  給紙トレーにセットされた媒体が、ユーザーによってユーザーインタフェース上で選択された媒体と同じであるか否かを判別することができるようにする。【解決手段】  積層された状態の複数の媒体を保持可能な媒体保持部と、媒体保持部に積層された状態の前記媒体に光を照射して、前記媒体からの反射光を受光する第１のセンサと、積層された状態の複数の前記媒体から１枚の前記媒体を搬送する搬送部と、前記搬送部によって搬送された１枚の前記媒体に紫外光を照射して、前記媒体からの光を受光する第２のセンサと、を有することを特徴とする。【選択図】      図１３
2005335899.tif 000002
【特許請求の範囲】
【請求項１】
積層された状態の複数の媒体を保持可能な媒体保持部と、
媒体保持部に積層された状態の前記媒体に光を照射して、前記媒体からの反射光を受光する第１のセンサと、
積層された状態の複数の前記媒体から１枚の前記媒体を搬送する搬送部と、
前記搬送部によって搬送された１枚の前記媒体に紫外光を照射して、前記媒体からの光を受光する第２のセンサと、を有する
ことを特徴とする媒体判別装置。
【請求項２】
請求項１に記載の媒体判別装置において、
前記第２のセンサは、蛍光剤を含む前記媒体に前記紫外光が照射されたときに、前記蛍光剤から発せられる光、及び、前記媒体を透過した透過光を受光する
ことを特徴とする媒体判別装置。
【請求項３】
請求項１に記載の媒体判別装置において、
前記第１のセンサ、及び、前記第２のセンサの検出結果に基づいて前記媒体の種類を判別する制御部であって、前記搬送部による前記媒体の搬送前に、前記第１のセンサに基づいて前記媒体の種類を判別する制御部を更に有する
ことを特徴とする媒体判別装置。
【請求項４】
請求項３に記載の媒体判別装置において、
前記制御部は、
前記媒体の種類を指定する指定信号を受信し、
前記第１のセンサに基づいて、前記媒体保持部に積層された状態の前記媒体の種類が、前記指定信号の示す前記媒体の種類と異なると判別できる場合、警告を行う
ことを特徴とする媒体判別装置。
【請求項５】
請求項３、又は、請求項４に記載の媒体判別装置において、
前記制御部は、
前記媒体の種類を指定する指定信号を受信し、
前記第２のセンサに基づいて、搬送された１枚の前記媒体の種類が、前記指定信号の示す前記媒体の種類と異なると判別できる場合、警告を行う
ことを特徴とする媒体判別装置。
【請求項６】
請求項４に記載の媒体判別装置において、
前記制御部は、
前記警告を行わない場合、前記媒体を搬送して前記第２のセンサにより前記媒体を検出し、
前記第１のセンサ、及び、前記第２のセンサの検出結果に基づいて前記媒体の種類を特定する
ことを特徴とする媒体判別装置。
【請求項７】
積層された状態の複数の媒体を保持可能な媒体保持部と、
媒体保持部に積層された状態の前記媒体に光を照射して、前記媒体からの反射光を受光する第１のセンサと、
積層された状態の複数の前記媒体から１枚の前記媒体を搬送する搬送部と、
前記搬送部によって搬送された１枚の前記媒体に紫外光を照射して、前記媒体からの光を受光する第２のセンサと、を有し、
前記第２のセンサは、蛍光剤を含む前記媒体に前記紫外光が照射されたときに、前記蛍光剤から発せられる光、及び、前記媒体を透過した透過光を受光し、
前記第１のセンサ、及び、前記第２のセンサの検出結果に基づいて前記媒体の種類を判別する制御部であって、前記搬送部による前記媒体の搬送前に、前記第１のセンサに基づいて前記媒体の種類を判別する制御部を更に有し、
前記制御部は、
前記媒体の種類を指定する指定信号を受信し、
前記第１のセンサに基づいて、前記媒体保持部に積層された状態の前記媒体の種類が、前記指定信号の示す前記媒体の種類と異なると判別できる場合、警告を行い、
前記第２のセンサに基づいて、搬送された１枚の前記媒体の種類が、前記指定信号の示す前記媒体の種類と異なると判別できる場合、警告を行う
ことを特徴とする媒体判別装置。
【請求項８】
積層された状態の媒体に光を照射して、前記媒体からの反射光を受光し、
積層された状態の複数の前記媒体から１枚の前記媒体を搬送し、
搬送された１枚の前記媒体に紫外光を照射して、前記媒体からの光を受光することによって、前記媒体の種類を判別する
ことを特徴とする媒体判別方法。
【発明の詳細な説明】
【技術分野】
【０００１】
本発明は、媒体判別装置、及び、媒体判別方法に関する。
【背景技術】
【０００２】
媒体の種類を判別する媒体判別装置において、給紙中の媒体に対して光を照射し、媒体からの透過光、もしくは、媒体からの反射光を検出することによって、媒体の種類を判別する媒体判別装置がある。
【特許文献１】特開２００２−１６７０８２号公報
【発明の開示】
【発明が解決しようとする課題】
【０００３】
このように給紙中の媒体からの透過光、もしくは、反射光を検出することによって、媒体の種類を判別する媒体判別装置においては、媒体判別装置によって判別された媒体が、ユーザーによってユーザーインタフェース上で選択され、給紙トレーにセットされた媒体と異なる場合には、一旦給紙した媒体を戻さなければならないという虞があった。
【０００４】
本発明は、このような事情に鑑みたものであって、給紙トレーにセットされた媒体が、ユーザーによってユーザーインタフェース上で選択された媒体と同じであるか否かを判別することができるようにすることである。
【課題を解決するための手段】
【０００５】
前記目的を達成するための主たる発明は、積層された状態の複数の媒体を保持可能な媒体保持部と、媒体保持部に積層された状態の前記媒体に光を照射して、前記媒体からの反射光を受光する第１のセンサと、積層された状態の複数の前記媒体から１枚の前記媒体を搬送する搬送部と、前記搬送部によって搬送された１枚の前記媒体に紫外光を照射して、前記媒体からの光を受光する第２のセンサと、を有することを特徴とする媒体判別装置である。
【０００６】
本発明の他の特徴は、本明細書および添付図面の記載により明らかにする。
【発明を実施するための最良の形態】
【０００７】
本明細書および添付図面の記載により少なくとも以下の事項が明らかとなる。
【０００８】
積層された状態の複数の媒体を保持可能な媒体保持部と、媒体保持部に積層された状態の前記媒体に光を照射して、前記媒体からの反射光を受光する第１のセンサと、積層された状態の複数の前記媒体から１枚の前記媒体を搬送する搬送部と、前記搬送部によって搬送された１枚の前記媒体に紫外光を照射して、前記媒体からの光を受光する第２のセンサと、を有することを特徴とする媒体判別装置。  
このような媒体判別装置にあっては、給紙トレーにセットされた媒体が、ユーザーによってユーザーインタフェース上で選択された媒体と同じであるか否かを判別することができるようになる。
【０００９】
また、前記第２のセンサは、蛍光剤を含む前記媒体に前記紫外光が照射されたときに、前記蛍光剤から発せられる光、及び、前記媒体を透過した透過光を受光することが好ましい。  
このような媒体判別装置にあっては、前記第２のセンサは、蛍光剤を含む前記媒体に前記紫外光が照射されたときに、前記蛍光剤から発せられる光、及び、前記媒体を透過した透過光を受光することができる。
【００１０】
また、前記第１のセンサ及び前記第２のセンサの検出結果に基づいて前記媒体の種類を判別する制御部であって、前記搬送部による前記媒体の搬送前に、前記第１のセンサに基づいて前記媒体の種類を判別する制御部を更に有することが好ましい。  
このような媒体判別装置にあっては、前記搬送部による前記媒体の搬送前に、前記第１のセンサに基づいて前記媒体の種類を判別することができる。
【００１１】
また、前記制御部は、前記媒体の種類を指定する指定信号を受信し、前記第１のセンサに基づいて、前記媒体保持部に積層された状態の前記媒体の種類が、前記指定信号の示す前記媒体の種類と異なると判別できる場合、警告を行うことが好ましい。  
このような媒体判別装置にあっては、前記媒体保持部に積層された状態の前記媒体の種類が、前記指定信号の示す前記媒体の種類と異なると判別できる場合、警告を行うことができる。
【００１２】
また、前記制御部は、前記媒体の種類を指定する指定信号を受信し、前記第２のセンサに基づいて、搬送された１枚の前記媒体の種類が、前記指定信号の示す前記媒体の種類と異なると判別できる場合、警告を行うことが好ましい。  
このような媒体判別装置にあっては、搬送された１枚の前記媒体の種類が、前記指定信号の示す前記媒体の種類と異なると判別できる場合、警告を行うことができる。
【００１３】
また、前記制御部は、前記警告を行わない場合、前記媒体を搬送して前記第２のセンサにより前記媒体を検出し、前記第１のセンサ、及び、前記第２のセンサの検出結果に基づいて前記媒体の種類を特定することが好ましい。  
このような媒体判別装置にあっては、前記第１のセンサ、及び、前記第２のセンサの検出結果に基づいて前記媒体の種類を特定することができる。
【００１４】
また、積層された状態の複数の媒体を保持可能な媒体保持部と、媒体保持部に積層された状態の前記媒体に光を照射して、前記媒体からの反射光を受光する第１のセンサと、積層された状態の複数の前記媒体から１枚の前記媒体を搬送する搬送部と、前記搬送部によって搬送された１枚の前記媒体に紫外光を照射して、前記媒体からの光を受光する第２のセンサと、を有し、前記第２のセンサは、蛍光剤を含む前記媒体に前記紫外光が照射されたときに、前記蛍光剤から発せられる光、及び、前記媒体を透過した透過光を受光し、前記第１のセンサ、及び、前記第２のセンサの検出結果に基づいて前記媒体の種類を判別する制御部であって、前記搬送部による前記媒体の搬送前に、前記第１のセンサに基づいて前記媒体の種類を判別する制御部を更に有し、前記制御部は、前記媒体の種類を指定する指定信号を受信し、前記第１のセンサに基づいて、前記媒体保持部に積層された状態の前記媒体の種類が、前記指定信号の示す前記媒体の種類と異なると判別できる場合、警告を行い、前記第２のセンサに基づいて、搬送された１枚の前記媒体の種類が、前記指定信号の示す前記媒体の種類と異なると判別できる場合、警告を行うことを特徴とする媒体判別装置も実現可能である。  
このようにすれば、既述の総ての効果を奏するため、本発明の目的が最も有効に達成される。
【００１５】
また、積層された状態の媒体に光を照射して、前記媒体からの反射光を受光し、積層された状態の複数の前記媒体から１枚の前記媒体を搬送し、搬送された１枚の前記媒体に紫外光を照射して、前記媒体からの光を受光することによって、前記媒体の種類を判別することを特徴とする媒体判別方法も実現可能である。  
このようにして実現された媒体判別方法は、従来方法よりも優れた方法となる。
【００１６】
＝＝＝印刷装置の概要＝＝＝
本発明にかかる媒体判別装置を用いることができる印刷装置の一実施形態として、プリンタ１と、コンピュータ１１００とを備えた印刷システムを例にとり、その概要について説明する。
【００１７】
図１は、印刷システム１０００の外観構成を示した説明図である。この印刷システム１０００は、プリンタ１と、コンピュータ１１００とを備えている。コンピュータ１１００は、表示装置１２００と、入力装置１３００と、記録再生装置１４００とを有している。プリンタ１は、紙や布、フィルム等の媒体に画像を印刷する印刷装置である。コンピュータ１１００は、プリンタ１と電気的に接続されており、プリンタ１に画像を印刷させるため、印刷させる画像に応じた印刷データをプリンタ１に出力する。表示装置１２００は、ディスプレイを有し、アプリケーションプログラムやプリンタドライバ等のユーザーインタフェースを表示する。入力装置１３００は、例えばキーボード１３００Ａやマウス１３００Ｂであり、表示装置１２００に表示されたユーザーインタフェースに沿って、アプリケーションプログラムの操作やプリンタドライバの設定等に用いられる。記録再生装置１４００は、例えばフレキシブルディスクドライブ装置１４００ＡやＣＤ−ＲＯＭドライブ装置１４００Ｂが用いられる。
【００１８】
コンピュータ１１００には、プリンタドライバがインストールされている。プリンタドライバは、表示装置１２００にユーザーインタフェースを表示させる機能を実現させるほか、アプリケーションプログラムから出力された画像データを印刷データに変換する機能を実現させるためのプログラムである。このプリンタドライバは、フレキシブルディスクＦＤやＣＤ−ＲＯＭなどの記録媒体（コンピュータ読み取り可能な記録媒体）に記録されている。または、このプリンタドライバは、インターネットを介してコンピュータ１１００にダウンロードすることも可能である。なお、このプログラムは、各種の機能を実現するためのコードから構成されている。
【００１９】
＝＝＝プリンタドライバ＝＝＝
＜プリンタドライバについて＞
図２は、プリンタドライバのユーザーインタフェースの説明図である。このプリンタドライバのユーザーインタフェースは、ビデオドライバを介して、表示装置に表示される。ユーザーは、入力装置１３００を用いて、プリンタドライバの各種の設定を行うことができる。
【００２０】
ユーザーは、この画面上から、印刷方式を選択することができる。例えば、ユーザーは、印刷方式として、高速印刷方式又はファイン印刷方式を選択することができる。そして、プリンタドライバは、選択された印刷方式に応じた形式になるように、画像データを印刷データに変換する。
【００２１】
また、ユーザーは、この画面上から、印刷の解像度（印刷するときのドットの間隔）を選択することができる。例えば、ユーザーは、この画面上から、印刷の解像度として１８０ｄｐｉや３６０ｄｐｉを選択することができる。そして、プリンタドライバは、選択された解像度に応じて解像度変換処理を行い、画像データを印刷データに変換する。
【００２２】
また、ユーザーは、この画面上から、印刷に用いられる媒体の種類を選択することができる。例えば、ユーザーは、普通紙（蛍光増白剤あり）や光沢紙（蛍光増白剤なし）等の７種類の媒体を選択することができる。
【００２３】
媒体の種類が異なれば、インクの滲み方や乾き方も異なるため、印刷に適したインク量も異なる。そのため、プリンタドライバは、選択された媒体の種類に応じて、画像データを印刷データに変換する。
【００２４】
このように、プリンタドライバは、ユーザーインタフェースを介して設定された条件にしたがって、画像データを印刷データに変換する。なお、ユーザーは、この画面上から、プリンタドライバの各種の設定を行うことができるほか、カートリッジ内のインクの残量を知ること等もできる。
【００２５】
そして、プリンタドライバは、作成した印刷データを印刷装置に出力する。その際、プリンタドライバは、ユーザーが選択した媒体の種類を示す媒体指定信号も、一緒に印刷装置に出力する。これにより、印刷装置は、プリンタドライバから受信した媒体指定信号に基づいて、ユーザーが選択した媒体の種類を認識することができる。
【００２６】
＝＝＝印刷装置の構成＝＝＝
＜印刷装置の構成について＞
次に、印刷装置の構成について図３、及び、図４を参照して説明する。図３は、プリンタの全体構成のブロック図である。図４は、プリンタの全体構成の横断面図である。
【００２７】
以下、本実施形態のプリンタの基本的な構成について説明する。本実施形態のプリンタ１は、図３に示すように、搬送ユニット２０、キャリッジユニット３０、ヘッドユニット４０、センサ群５０、およびコントローラ６０を有する。外部装置であるコンピュータ１１００から印刷データを受信したプリンタ１は、コントローラ６０によって各ユニット（搬送ユニット２０、キャリッジユニット３０、ヘッドユニット４０）を制御する。コントローラ６０は、コンピュータ１１００から受信した印刷データに基づいて、各ユニットを制御し、媒体に画像を形成する。プリンタ１内の状況はセンサ群５０によって監視されており、センサ群５０は、検出結果をコントローラ６０に出力する。センサから検出結果を受けたコントローラは、その検出結果に基づいて、各ユニットを制御する。
【００２８】
搬送ユニット２０は、媒体（例えば、紙など）を印刷可能な位置に送り込み、印刷時に所定の方向（以下、搬送方向という）に所定の搬送量で媒体を搬送させるためのものである。すなわち、搬送ユニット２０は、媒体を搬送する搬送部である。搬送ユニット２０は、図４に示すように、給紙ローラ２１と、搬送モータ（ＰＦモータとも言う）と、搬送ローラ２３と、プラテン２４と、排紙ローラ２５とを有する。ただし、搬送ユニット２０が搬送部として機能するためには、必ずしもこれらの構成要素を全て必要とするわけではない。給紙ローラ２１は、媒体保持部としての給紙トレーにセットされた媒体をプリンタ１内に自動的に給紙するためのローラである。給紙トレーには紙が積層された状態でセットされている。給紙ローラ２１は積層された紙の１番上に位置する紙を給紙する。給紙ローラ２１は、Ｄ形の断面形状をしており、円周部分の長さは搬送ローラ２３までの搬送距離よりも長く設定されているので、この円周部分を用いて媒体を搬送ローラ２３まで搬送できる。搬送モータは、媒体を搬送方向に搬送するためのモータであり、ＤＣモータにより構成される。搬送ローラ２３は、給紙ローラ２１によって給紙された媒体を印刷可能な領域まで搬送するローラであり、搬送モータによって駆動される。プラテン２４は、印刷中の媒体を支持する。排紙ローラ２５は、印刷が終了した媒体をプリンタ１の外部に排出するローラである。この排紙ローラ２５は、搬送ローラ２３と同期して回転する。
【００２９】
キャリッジユニット３０は、ヘッドを所定の方向（以下、キャリッジ移動方向という）に移動させるためのものである。キャリッジユニット３０は、キャリッジ３１と、キャリッジモータ（ＣＲモータとも言う）とを有する。キャリッジ３１は、往復移動可能である。（これにより、ヘッドがキャリッジ移動方向に沿って移動する。）また、キャリッジ３１は、インクを収容するインクカートリッジを着脱可能に保持している。キャリッジモータは、キャリッジ３１をキャリッジ移動方向に移動させるためのモータであり、ＤＣモータにより構成される。
【００３０】
ヘッドユニット４０は、媒体にインクを吐出するためのものである。ヘッドユニット４０は、ヘッド４１を有する。ヘッド４１は、インク吐出部としてノズルを複数有し、各ノズルから断続的にインクを吐出する。このヘッド４１は、キャリッジ３１に設けられている。そのため、キャリッジ３１がキャリッジ移動方向に移動すると、ヘッド４１もキャリッジ移動方向に移動する。そして、ヘッド４１がキャリッジ移動方向に移動中にインクを断続的に吐出することによって、キャリッジ移動方向に沿ったドットライン（ラスタライン）が媒体に形成される。
【００３１】
センサ群５０には、リニア式エンコーダ、第１のセンサ５１（図４参照）、第２のセンサ５４（図４参照）、ロータリー式エンコーダ５７（図４参照）、紙検出センサ５８（図４参照）等が含まれる。
【００３２】
リニア式エンコーダは、キャリッジ３１のキャリッジ移動方向の位置を検出するためのものである。ロータリー式エンコーダ５７は、搬送ローラ２３の回転量を検出するためのものである。紙検出センサ５８は、印刷される媒体の先端の位置を検出するためのものである。この紙検出センサ５８は、給紙ローラ２１が搬送ローラ２３に向かって媒体を給紙する途中で、媒体の先端の位置を検出できる位置に設けられている。なお、紙検出センサ５８は、機械的な機構によって媒体の先端を検出するメカニカルセンサである。詳しく言うと、紙検出センサ５８は紙搬送方向に回転可能なレバーを有し、このレバーは媒体の搬送経路内に突出するように配置されている。そのため、媒体の先端がレバーに接触し、レバーが回転させられるので、紙検出センサ５８は、このレバーの動きを検出することによって、媒体の先端の位置を検出する。第１のセンサ５１は、発光素子５２、及び、受光素子５３を有する。第２のセンサ５４は、発光素子５５、及び、受光素子５６を有する。第１のセンサ５１、及び、第２のセンサ５４については、後に図５、及び、図６を参照して詳しく説明する。
【００３３】
コントローラ６０は、プリンタ１の制御を行うための制御ユニット（制御手段）である。コントローラ６０は、インターフェース部６１と、ＣＰＵ６２と、メモリ６３と、ユニット制御回路６４とを有する。インターフェース部６１は、外部装置であるコンピュータ１１００とプリンタ１との間でデータの送受信を行うためのものである。ＣＰＵ６２は、プリンタ１全体の制御を行うための演算処理装置である。メモリ６３は、ＣＰＵ６２のプログラムを格納する領域や作業領域等を確保するためのものであり、ＲＡＭ、ＥＥＰＲＯＭ等の記憶手段を有する。ＣＰＵ６２は、メモリ６３に格納されているプログラムにしたがって、ユニット制御回路６４を介して各ユニットを制御する。
【００３４】
また、コントローラ６０は、第１のセンサ５１、及び、第２のセンサ５４の検出結果に基づいて媒体の種類を判別する。そして、コントローラ６０は、媒体の搬送前に、第１のセンサ５１の検出結果に基づいて媒体の種類を判別する。
【００３５】
＝＝＝媒体判別装置＝＝＝
＜媒体判別装置について＞
次に、媒体判別装置について、図５、及び、図６を参照して説明する。図５は、媒体判別装置を構成する第１のセンサ５１について説明するための説明図である。図６は、媒体判別装置を構成する第２のセンサ５４について説明するための説明図である。
【００３６】
まず、図５を参照して、第１のセンサ５１の発光素子５２、及び、受光素子５３について説明する。発光素子５２、及び、受光素子５３は、図４においては、給紙ローラ２１の媒体搬送方向手前に設けられている。よって、発光素子５２からは、給紙ローラ２１によって搬送される前の積層された状態の媒体に向けて光（例えば、赤外線等）が照射される。そして、受光素子５３は、積層された状態の１番上に位置する媒体からの反射光を受光する。コントローラ６０は、受光素子５３が受光した反射光の出力に基づいて、媒体の光沢度を判別することができる。
【００３７】
次に、図６を参照して、第２のセンサ５４の発光素子５５、及び、受光素子５６について説明する。発光素子５５、及び、受光素子５６は、図４においては、紙検出センサ５８とロータリー式エンコーダ５７との間に設けられている。したがって、発光素子５５からは、給紙中の媒体（１枚に分離された状態の媒体）に対して光が照射される。
【００３８】
発光素子５５は、例えば、ピーク発光波長が３７０ｎｍである紫外線ＬＥＤである。受光素子５６は、例えば、シリコンフォトトランジスタである。
【００３９】
媒体に入射した光は、媒体中に含まれる蛍光増白剤を励起させる。蛍光増白剤は、自然光や蛍光灯等に含まれる紫外線を吸収して青色の可視光を放射することにより、媒体の黄色がかった状態に青みを付けて白色度を増すためのものである。媒体に蛍光増白剤が含まれていると、媒体の黄色がかった状態が、黄色の補色である青みが付けられることによって、無彩色である白さが強調される。蛍光増白剤は、例えば、紫外線を最大吸収波長３７５ｎｍで吸収して、可視光を最大放射波長４３５ｎｍで放射する物質である。
【００４０】
発光素子５５から照射された光によって励起された蛍光増白剤が発する光は、受光素子５６によって検出される。また、給紙中の媒体が薄い場合には、媒体を透過した光も受光素子５６によって検出される。
【００４１】
ここで、発光素子５５、及び、受光素子５６が、図４に示されるように紙検出センサ５８とロータリー式エンコーダ５７との間に設けられている理由について、図７Ａ、及び、図７Ｂを参照して説明する。なお、図中において、○は、蛍光増白剤が励起されていることを表す。また、×は、蛍光増白剤が励起されていないことを表す。また、○、及び、×の表す意味は、後に説明する図においても同じ意味を表す。
【００４２】
第２のセンサ５４の発光素子５５及び受光素子５６が、仮に、第１のセンサ５１と同様に、給紙ローラ２１の媒体搬送方向手前に設けられていたとする。この場合、第２のセンサ５４の発光素子５５は、積層された状態の媒体に紫外光を照射することになる。例えば、図７Ａに示されるように、１番上に蛍光増白剤を含まない薄い媒体が積層し、その下部に蛍光増白剤を含む媒体が積層している場合に、入射角の小さい光が照射されると、光は下部に位置している媒体にまで到達する。そして、下部に位置している媒体に含まれる蛍光増白剤が励起され、蛍光増白剤から光が発せられる。この結果、受光素子は、蛍光増白剤から発せられる光を検出する。この場合、１番上に位置する媒体に、蛍光増白剤が含まれているものと誤判定されてしまう虞がある。
【００４３】
また、図７Ｂに示されるように、１番上に蛍光増白剤を含む薄い媒体が位置し、その下部に蛍光増白剤を含む媒体が位置している場合に、入射角が小さい光が照射されると、光は下部に位置している媒体にまで到達する。そして、下部に位置している媒体に含まれる蛍光増白剤が励起され、蛍光増白剤から光が発せられる。そして、受光素子は、１番上に位置する媒体に含まれる蛍光増白剤から発せられる光とともに、下部に位置する媒体に含まれる蛍光増白剤から発せられる光を検出する。この場合、１番上に位置する媒体に含まれる蛍光増白剤の量が本来よりも多いと誤判定されてしまう。
【００４４】
これに対し、本実施の形態においては、第２のセンサ５４の発光素子５５及び受光素子５６は、図４に示されるように紙検出センサ５８とロータリー式エンコーダ５７との間に設けられている。よって、発光素子５５からは、給紙中の媒体（１枚に分離された状態の媒体）に対して光が照射される。このように、１枚に分離された状態の媒体に光を照射しているので、前述のような下部の媒体の影響を受けることはない。したがって、受光素子５６は、受光した光量に基づいて、給紙中の媒体に含まれる蛍光増白剤の量を正確に判定することができる。
【００４５】
＜媒体の種類と受光素子５６の出力との関係について＞
ここで、図８Ａ、図８Ｂ、図８Ｃ、及び、図８Ｄを参照して、媒体の種類と第２のセンサ５４の受光素子５６の出力との関係について説明する。なお、本実施の形態においては、発光素子により媒体に対してほぼ垂直に照射された光が媒体を透過しない場合に、厚い媒体と呼ぶことにする。そして、発光素子により媒体に対してほぼ垂直に照射された光が媒体を透過する場合に、薄い媒体と呼ぶことにする。
【００４６】
図８Ａは、蛍光増白剤を含む薄い媒体に光が照射された場合の受光素子５６の出力について説明するための説明図である。図８Ａに示されるように、蛍光増白剤を含む薄い媒体に光が照射された場合には、受光素子５６は、励起された蛍光増白剤が発する光と媒体を透過した透過光とを受光するので、比較的大きい光量を受光する。
【００４７】
図８Ｂは、蛍光増白剤を含まない薄い媒体に光が照射された場合の受光素子５６の出力について説明するための説明図である。図８Ｂに示されるように、蛍光増白剤を含まない薄い媒体に光が照射された場合には、受光素子５６は、媒体を透過した透過光のみを受光する。
【００４８】
図８Ｃは、蛍光増白剤を含む厚い媒体に光が照射された場合の受光素子５６の出力について説明するための説明図である。図８Ｃに示されるように、蛍光増白剤を含む厚い媒体に光が照射された場合には、受光素子５６は、励起された蛍光増白剤が発する光のみを受光する。このときの受光素子５６が受光する光量は、波長が異なるが、前述の図８Ｂの場合と同程度の光量である。
【００４９】
図８Ｄは、蛍光増白剤を含まない厚い媒体に光が照射された場合の受光素子５６の出力について説明するための説明図である。図８Ｄに示されるように、蛍光増白剤を含まない厚い媒体に光が照射された場合には、照射された光は、媒体を透過しない。したがって、受光素子５６は、受光しない。
【００５０】
＜媒体の種類と、受光素子５３、及び、受光素子５６の出力との関係について＞
次に、図９を参照して、媒体の種類と、受光素子５３、及び、受光素子５６の出力との関係について説明する。なお、図９を説明するにあたって、図１０、及び、図１１を参照する。図１０は、媒体の種類と受光素子５３の出力との関係を表す実験データである。図１１は、媒体の種類と受光素子５６の出力との関係を表す実験データである。
【００５１】
媒体が普通紙（蛍光増白剤あり）である場合には、第１のセンサ５１の受光素子５３の出力は、図１０に示される実験データによれば、約５８０ｍＶとなる。また、第２のセンサ５４の受光素子５６は、図８Ａに示されるように、励起された蛍光増白剤が発する光と媒体を透過した透過光とを受光する。このため、受光素子５６の出力は、比較的大きくなり、図１１に示される実験データによれば、約２０００ｍＶとなる。
【００５２】
媒体が普通紙（蛍光増白剤なし）である場合には、第１のセンサ５１の受光素子５３の出力は、図１０に示される実験データによれば、約７７０ｍＶとなる。また、第２のセンサ５４の受光素子５６は、図８Ｂに示されるように、媒体を透過した透過光のみを受光する。そして、受光素子５６の出力は、図１１に示される実験データによれば、約５３０ｍＶとなる。
【００５３】
媒体がコート紙薄紙（蛍光増白剤あり）である場合には、第１のセンサ５１の受光素子５３の出力は、図１０に示される実験データによれば、約４００ｍＶとなる。また、第２のセンサ５４の受光素子５６は、図８Ａに示されるように、励起された蛍光増白剤が発する光と媒体を透過した透過光とを受光する。このため、受光素子５６の出力は、比較的大きくなり、図１１に示される実験データにより、約２０００ｍＶとなる。
【００５４】
媒体がコート紙厚紙（蛍光増白剤あり）である場合には、第１のセンサ５１の受光素子５３の出力は、図１０に示される実験データによれば、約４５０ｍＶとなる。また、第２のセンサ５４の受光素子５６は、図８Ｃに示されるように、励起された蛍光増白剤が発する光のみを受光する。そして、受光素子５６の出力は、図１１に示される実験データによれば、約６４０ｍＶとなる。
【００５５】
媒体が光沢紙（蛍光増白剤なし）である場合には、第１のセンサ５１の受光素子５３の出力は、図１０に示される実験データにより、約１３００ｍＶとなる。また、第２のセンサ５４の受光素子５６は、図８Ｄに示されるように、受光しない。このため、受光素子５６の出力は、比較的小さくなり、図１１に示される実験データにより、約５０ｍＶとなる。
【００５６】
媒体が光沢紙（蛍光増白剤あり）である場合には、第１のセンサ５１の受光素子５３の出力は、図１０に示される実験データによれば、約１５００ｍＶとなる。また、第２のセンサ５４の受光素子５６は、図８Ｃに示されるように、励起された蛍光増白剤が発する光のみを受光する。そして、受光素子５６の出力は、図１１に示される実験データによれば、約６５０ｍＶとなる。
【００５７】
媒体がＯＨＰである場合には、受光素子５３の出力は、図１０に示される実験データによれば、約２５００ｍＶとなる。また、受光素子５６は、図８Ｂに示されるように、媒体を透過した透過光のみを受光する。ＯＨＰシートは透明なので、紙の場合と比較して透過光の光量が大きくなり、図８Ａの場合よりも、受光素子５６の受光する光量が大きくなる。そのため、受光素子５６の出力は、比較的大きくなり、図９に示される実験データにより、約２６００ｍＶとなる。
【００５８】
以上の媒体の種類と、第１のセンサ５１の受光素子５３、及び、第２のセンサ５４の受光素子５６の出力との関係をまとめると図９に示されるようになる。図９に示されるように、受光素子５３の出力、及び、受光素子５６の出力に基づいて、媒体の種類は一意的に決まることとなる。
【００５９】
＜媒体判別処理について＞
次に、図１２乃至図１６を参照して、媒体判別処理について説明する。図１２は、ユーザーによって媒体の種類が選択されることを説明するための説明図である。
【００６０】
ステップＳ１０１において、ユーザーは、マウス１３００Ｂを操作して、図２に示されるユーザーインタフェース上から、印刷しようとする媒体を選択する。なお、ユーザーは、予め印刷装置の給紙トレーに媒体をセットし、この媒体と同じ種類と思われるものをユーザーインタフェース上で選択する。プリンタドライバは、選択された媒体の種類に応じた媒体指定信号を、印刷装置に送信する。印刷装置は、プリンタドライバから媒体指定信号を受信し、この媒体指定信号に基づいて、ユーザーに選択された媒体の種類を認識する。
【００６１】
ステップＳ１０２において、コントローラ６０は、ユーザーによって普通紙が選択されたか否かを判断する。ここでの普通紙には、蛍光増白剤を含むものと、蛍光増白剤を含まないものの両方が含まれるものとする。この判断は、プリンタドライバから受信する媒体指定信号に基づいて、行われる。ステップＳ１０２において、コントローラ６０が、ユーザーによって普通紙が選択されたと判断した場合、処理は、図１３に示される普通紙用判別フローに進む。ステップＳ１０２において、コントローラ６０が、ユーザーによって普通紙以外が選択されたと判断した場合、処理は、ステップＳ１０３に進む。
【００６２】
ステップＳ１０３において、コントローラ６０は、ユーザーによってコート紙が選択されたか否かを判断する。ここでのコート紙には、薄いコート紙と、厚いコート紙の両方が含まれるものとする。ステップＳ１０３において、コントローラ６０が、ユーザーによってコート紙が選択されたと判断した場合、処理は、図１４に示されるコート紙用判別フローに進む。ステップＳ１０３において、コントローラ６０が、ユーザーによってコート紙以外が選択されたと判断した場合、処理は、ステップＳ１０４に進む。
【００６３】
ステップＳ１０４において、コントローラ６０は、ユーザーによって光沢紙が選択されたか否かを判断する。ここでの光沢紙には、蛍光増白剤を含むものと、蛍光増白剤を含まないものの両方が含まれるものとする。ステップＳ１０４において、コントローラ６０が、ユーザーによって光沢紙が選択されたと判断した場合、処理は、図１５に示される光沢紙用判別フローに進む。ステップＳ１０４において、コントローラ６０が、ユーザーによって光沢紙以外が選択されたと判断した場合、処理は、図１６に示されるＯＨＰ用判別フローに進む。
【００６４】
＜＜普通紙用判別フローについて＞＞
次に、図１３を参照して普通紙用判別フローについて説明する。ステップＳ２０１において、コントローラ６０は、第１のセンサ５１の発光素子５２から、給紙トレーに積層された状態の媒体に赤外線を照射する。このとき照射された赤外線は媒体の表面で反射し、この反射光を受光素子５３が受光する。
【００６５】
ステップＳ２０２において、コントローラ６０は、受光素子５３の出力が５００ｍＶ以上１０００ｍＶ以下であるか否かを判断する。コントローラ６０が、受光素子５３の出力が５００ｍＶ以上１０００ｍＶ以下であると判断した場合、処理は、ステップＳ２０３に進む。なお、受光素子５３の出力が５００ｍＶ以上１０００ｍＶ以下である場合、図１０に示される実験データから分かるように、積層された状態の１番上に位置する媒体は、普通紙（蛍光増白剤あり）、もしくは、普通紙（蛍光増白剤なし）のいずれかである。
【００６６】
ステップＳ２０３において、コントローラ６０は、給紙ローラ２１を回転させ、媒体を給紙する。このとき、積層された状態の媒体のうちの１番上に位置する媒体が、給紙ローラ２１によって、他の媒体から分離される。
【００６７】
ステップＳ２０４において、コントローラ６０は、給紙され１枚に分離された媒体（ここでは、普通紙（蛍光増白剤あり）、もしくは、普通紙（蛍光増白剤なし）のいずれか）に発光素子５５から紫外線を照射する。
【００６８】
ステップＳ２０５において、コントローラ６０は、受光素子５６の出力が１５００ｍＶ以上であるか否かを判断する。コントローラ６０が、受光素子５６の出力が１５００ｍＶ以上であると判断した場合、処理は、ステップＳ２０６に進む。なお、受光素子５６の出力が１５００ｍＶ以上である場合、図１１に示される実験データから分かるように、給紙され１枚に分離された媒体は、普通紙（蛍光増白剤あり）である。
【００６９】
ステップＳ２０６において、コントローラ６０は、ステップＳ１０１においてユーザーによってユーザーインタフェース上から選択された媒体が普通紙（蛍光増白剤あり）であるか否かを判断する。コントローラ６０は、ユーザーに選択された媒体が普通紙（蛍光増白剤あり）であると判断した場合（すなわち、ユーザーがユーザーインタフェース上から選択した媒体の種類と、媒体判別処理によって判別された媒体の種類とが一致する場合）、処理は、通常の印刷処理へ進む。一方、コントローラ６０が、ユーザーに選択された媒体が普通紙（蛍光増白剤あり）ではないと判断した場合（すなわち、ユーザーがユーザーインタフェース上から選択した媒体の種類と、媒体判別処理によって判別された媒体の種類とが一致しない場合）、処理は、ステップＳ２０７に進む。
【００７０】
ステップＳ２０７において、コントローラ６０は、表示装置１２００に、「選択された媒体と、給紙トレーにセットされた媒体は異なります」等の警告画面を表示させる。
【００７１】
ステップＳ２０５において、コントローラ６０が、受光素子５６の出力が１５００ｍＶよりも小さいと判断した場合、処理は、ステップＳ２０８に進む。なお、受光素子５６の出力が１５００ｍＶよりも小さい場合、図１１に示される実験データから分かるように、給紙され１枚に分離された媒体は、普通紙（蛍光増白剤なし）である。
【００７２】
ステップＳ２０８において、コントローラ６０は、ステップＳ１０１においてユーザーによってユーザーインタフェース上から選択された媒体が普通紙（蛍光増白剤なし）であるか否かを判断する。コントローラ６０が、ユーザーに選択された媒体が普通紙（蛍光増白剤なし）であると判断した場合（すなわち、ユーザーがユーザーインタフェース上から選択した媒体の種類と、媒体判別処理によって判別された媒体の種類とが一致する場合）、処理は、通常の印刷処理へ進む。一方、コントローラ６０が、ユーザーに選択された媒体が普通紙（蛍光増白剤なし）ではないと判断した場合（すなわち、ユーザーがユーザーインタフェース上から選択した媒体の種類と、媒体判別処理によって判別された媒体の種類とが一致しない場合）、処理は、ステップＳ２０７に進む。
【００７３】
ステップＳ２０２において、コントローラ６０が、受光素子５３の出力が５００ｍＶ以上１０００ｍＶ以下ではないと判断した場合、処理は、ステップＳ２０９に進む。受光素子５３の出力が５００ｍＶ以上１０００ｍＶ以下ではない場合、図１０に示される実験データから分かるように、積層された状態の１番上に位置する媒体は、普通紙（蛍光増白剤あり）、及び、普通紙（蛍光増白剤なし）のどちらでもない。つまり、この場合、第２のセンサ５４の検出結果を得るまでもなく、ユーザーインタフェース上から選択した媒体の種類と、第１のセンサ５１によって判別された媒体の種類とが一致しないことが分かる。
【００７４】
ステップＳ２０９において、コントローラ６０は、表示装置１２００に、「選択された媒体と、給紙トレーにセットされた媒体は異なります」等の警告画面を表示させる。
【００７５】
このように、本実施の形態においては、コントローラ６０は、受光素子５３の検出結果に基づいて、次に給紙される媒体がユーザーの選択した媒体と異なる場合には、ユーザーに警告を行うことができる。よって、ユーザーは、選択した媒体の種類と次に給紙される媒体の種類とが異なる場合、媒体が給紙される前にそのことを知ることができる。したがって、ユーザーは、給紙された媒体をわざわざ取り出す必要はなく、給紙トレーにセットされた媒体を目的の媒体と取り替えるだけでよい。
【００７６】
＜＜コート紙用判別フローについて＞＞
次に、図１４を参照してコート紙用判別フローについて説明する。コート紙用判別フローのステップＳ３０１、ステップＳ３０３、ステップＳ３０４、ステップＳ３０７、及び、ステップＳ３０９の各処理は、普通紙用判別フローのステップＳ２０１、ステップＳ２０３、ステップＳ２０４、ステップＳ２０７、及び、ステップＳ２０９の各処理とほぼ同じであり、繰り返しになるので説明は省略する。
【００７７】
ステップＳ３０２において、コントローラ６０は、受光素子５３の出力が５００ｍＶ以下であるか否かを判断する。コントローラ６０が、受光素子５３の出力が５００ｍＶ以下であると判断した場合、処理は、ステップＳ３０３に進む。なお、受光素子５３の出力が５００ｍＶ以下である場合、図１０に示される実験データから分かるように、積層された状態の１番上に位置する媒体は、コート紙（薄紙）、もしくは、コート紙（厚紙）のいずれかである。
【００７８】
ステップＳ３０５において、コントローラ６０は、受光素子５６の出力が１５００ｍＶ以上であるか否かを判断する。コントローラ６０が、受光素子５６の出力が１５００ｍＶ以上であると判断した場合、処理は、ステップＳ３０６に進む。受光素子５６の出力が１５００ｍＶ以上である場合、図１１に示される実験データから分かるように、給紙され１枚に分離された媒体は、コート紙（薄紙）である。
【００７９】
ステップＳ３０６において、コントローラ６０は、ユーザーによってユーザーインタフェース上から選択された媒体がコート紙（薄紙）であるか否かを判断する。コントローラ６０が、ユーザーに選択された媒体がコート紙（薄紙）であると判断した場合、処理は、通常の印刷処理へ進む。一方、コントローラ６０が、ユーザーによってユーザーインタフェース上から選択された媒体がコート紙（薄紙）ではないと判断した場合、処理は、ステップＳ３０７に進む。
【００８０】
ステップＳ３０５において、コントローラ６０が、受光素子５６の出力が１５００ｍＶよりも小さいと判断した場合、処理は、ステップＳ３０８に進む。受光素子５６の出力が１５００ｍＶよりも小さい場合、図１１に示される実験データから分かるように、給紙され１枚に分離された媒体は、コート紙（厚紙）である。
【００８１】
ステップＳ３０８において、コントローラ６０は、ユーザーによってユーザーインタフェース上から選択された媒体がコート紙（厚紙）であるか否かを判断する。コントローラ６０が、ユーザーに選択された媒体がコート紙（厚紙）であると判断した場合、処理は、通常の印刷処理へ進む。一方、コントローラ６０が、ユーザーに選択された媒体がコート紙（厚紙）ではないと判断した場合、処理は、ステップＳ３０７に進む。
【００８２】
ステップＳ３０２において、コントローラ６０が、受光素子５３の出力が５００ｍＶよりも大きいと判断した場合、処理は、ステップＳ３０９に進む。受光素子５３の出力が５００ｍＶよりも大きい場合、図１０に示される実験データから分かるように、積層された状態の１番上に位置する媒体は、コート紙（薄紙）、及び、コート紙（厚紙）のどちらでもない。
【００８３】
＜＜光沢紙用判別フローについて＞＞
次に、図１５を参照して光沢紙用判別フローについて説明する。光沢紙用判別フローのステップＳ４０１、ステップＳ４０３、ステップＳ４０４、ステップＳ４０７、及び、ステップＳ４０９の各処理は、普通紙用判別フローのステップＳ２０１、ステップＳ２０３、ステップＳ２０４、ステップＳ２０７、及び、ステップＳ２０９の各処理と同じであり、繰り返しになるので説明は省略する。
【００８４】
ステップＳ４０２において、コントローラ６０は、受光素子５３の出力が１０００ｍＶ以上１５００ｍＶ以下であるか否かを判断する。コントローラ６０が、受光素子５３の出力が１０００ｍＶ以上１５００ｍＶ以下であると判断した場合、処理は、ステップＳ４０３に進む。なお、受光素子５３の出力が１０００ｍＶ以上１５００ｍＶ以下である場合、図１０に示される実験データから分かるように、積層された状態の１番上に位置する媒体は、光沢紙（蛍光増白剤あり）、もしくは、光沢紙（蛍光増白剤なし）のいずれかである。
【００８５】
ステップＳ４０５において、コントローラ６０は、受光素子５６の出力が５００ｍＶ以上であるか否かを判断する。コントローラ６０が、受光素子５６の出力が５００ｍＶ以上であると判断した場合、処理は、ステップＳ４０６に進む。なお、受光素子５６の出力が５００ｍＶ以上である場合、図１１に示される実験データから分かるように、給紙され１枚に分離された媒体は、光沢紙（蛍光増白剤あり）である。
【００８６】
ステップＳ４０６において、コントローラ６０は、ユーザーによってユーザーインタフェース上から選択された媒体が光沢紙（蛍光増白剤あり）であるか否かを判断する。コントローラ６０が、ユーザーに選択された媒体が光沢紙（蛍光増白剤あり）であると判断した場合、処理は、印刷処理へ進む。一方、コントローラ６０が、ユーザーに選択された媒体が光沢紙（蛍光増白剤あり）ではないと判断した場合、処理は、ステップＳ４０７に進む。
【００８７】
ステップＳ４０５において、コントローラ６０が、受光素子５６の出力が５００ｍＶよりも小さいと判断した場合、処理は、ステップＳ４０８に進む。受光素子５６の出力が５００ｍＶよりも小さい場合、図１１に示される実験データから分かるように、給紙され１枚に分離された媒体は、光沢紙（蛍光増白剤なし）である。
【００８８】
ステップＳ４０８において、コントローラ６０は、ユーザーによってユーザーインタフェース上から選択された媒体が光沢紙（蛍光増白剤なし）であるか否かを判断する。ステップＳ４０８において、コントローラ６０が、ユーザーによってユーザーインタフェース上から選択された媒体が光沢紙（蛍光増白剤なし）であると判断した場合、処理は、通常の印刷処理へ進む。一方、コントローラ６０が、ユーザーに媒体が光沢紙（蛍光増白剤なし）ではないと判断した場合、処理は、ステップＳ４０７に進む。
【００８９】
ステップＳ４０２において、コントローラ６０が、受光素子５３の出力が１０００ｍＶ以上１５００ｍＶ以下ではないと判断した場合、処理は、ステップＳ４０９に進む。受光素子５３の出力が１０００ｍＶ以上１５００ｍＶ以下ではない場合、図１０に示される実験データから分かるように、積層された状態の１番上に位置する媒体は、光沢紙（蛍光増白剤あり）、及び、光沢紙（蛍光増白剤なし）のどちらでもない。つまり、この場合、第２のセンサ５４の検出結果を得るまでもなく、ユーザーインタフェース上から選択した媒体の種類と、第１のセンサ５１によって判別された媒体の種類とが一致しないことが分かる。
【００９０】
＜＜ＯＨＰ用判別フローについて＞＞
次に、図１６を参照してＯＨＰ用判別フローについて説明する。ステップＳ５０１において、コントローラ６０は、給紙トレーに積層された状態でセットされた媒体に発光素子５２から赤外線を照射する。
【００９１】
ステップＳ５０２において、コントローラ６０は、受光素子５３の出力が２０００ｍＶ以上であるか否かを判断する。コントローラ６０が、受光素子５３の出力が２０００ｍＶ以上であると判断した場合、処理は、ステップＳ５０３に進む。なお、受光素子５３の出力が２０００ｍＶ以上である場合、図１０に示される実験データから分かるように、積層された状態の１番上に位置する媒体は、ＯＨＰである。  
ステップＳ５０３において、コントローラ６０は、給紙ローラ２１を回転させ、積層された状態の１番上に位置する媒体を給紙する。
【００９２】
ステップＳ５０２において、コントローラ６０が、受光素子５３の出力が２０００ｍＶよりも小さいと判断した場合、処理は、ステップＳ５０４に進む。受光素子５３の出力が２０００ｍＶよりも小さい場合、図１０に示される実験データから分かるように、積層された状態の１番上に位置する媒体は、ＯＨＰではない。つまり、この場合、第２のセンサ５４の検出結果を得るまでもなく、ユーザーインタフェース上から選択した媒体の種類と、第１のセンサ５１によって判別された媒体の種類とが一致しないことが分かる。  
ステップＳ５０４において、コントローラ６０は、表示装置１２００に、「選択された媒体と、給紙トレーにセットされた媒体は異なります」等の警告画面を表示させる。
【００９３】
＜まとめ＞
第２のセンサ５４は、第１のセンサ５１とは異なり、紫外光を照射することにより、媒体を検出している。このため、仮に、紫外光を照射する第２のセンサ５４を第１のセンサ５１と同じ位置に設けると、積層された状態の媒体に紫外光を照射するため、正確に媒体を検出できないおそれがある（図７参照）。そこで、本実施形態では、給紙ローラ２１によって媒体を１枚分離した後、第２のセンサ５４の発光素子５５が１枚の媒体に対して紫外光を照射するようにした。これにより、本実施形態によれば、第１のセンサ５１及び第２のセンサ５４の検出結果に基づいて、媒体の種類を７種類に細分化して判別することができる。
【００９４】
ところで、媒体の種類が異なれば、インクの滲み方や乾き方も異なるため、印刷に適したインク量も異なる。そのため、プリンタドライバは、ユーザーに選択された媒体の種類に応じて、印刷データを作成している。しかし、ユーザーインタフェース上で選択した媒体の種類と給紙トレーにセットした媒体とが異なる場合、印刷される媒体に合わないインク量が吐出されてしまい、媒体に印刷される画像の画質が悪くなる。そこで、本実施形態では、第１のセンサ５１及び第２のセンサ５４の検出結果に基づいて、媒体の種類を７種類に細分化して判別し、ユーザーインタフェース上でユーザーが選択した媒体の種類と判別結果とが一致しない場合、警告を行っている。これにより、ユーザーは、ユーザーインタフェース上で選択した媒体の種類と給紙トレーにセットした媒体とが異なることを認識できる。
【００９５】
但し、本実施形態では、第２のセンサ５４は、給紙ローラ２１によって媒体が１枚に分離された後、その媒体を検出している。そのため、２つのセンサの検出結果を取得するためには、媒体を一旦搬送する必要がある。しかし、第２のセンサ５４の検出結果を得るまでもなく、ユーザーインタフェース上から選択した媒体の種類と、第１のセンサ５１によって判別された媒体の種類とが一致しないことが分かる場合がある。このような場合まで、第２のセンサ５４の検出結果を取得するために一旦媒体を搬送したのでは、ユーザーに対して不便である。
【００９６】
そこで、本実施形態では、ユーザーインタフェース上から選択した媒体の種類と、第１のセンサ５１によって判別された媒体の種類とが一致しないことが、第１のセンサ５１の検出結果に基づいて、分かる場合、媒体を給紙する前に警告を行うこととした（Ｓ２０９、Ｓ３０９、Ｓ４０９）。これにより、ユーザーに対して、早く警告することができる。また、給紙前に警告を行っているので、この警告に従ってユーザーが媒体を取り替える際に、媒体の交換作業が容易になる。
【００９７】
＝＝＝その他の実施の形態＝＝＝
本発明にかかる媒体判別装置を用いることができる印刷装置の一実施形態として、プリンタを例にとって説明したが、上記の実施の形態は、本発明の理解を容易にするためのものであり、本発明を限定して解釈するためのものではない。本発明は、その趣旨を逸脱することなく、変更または改良され得るとともに、本発明には、その等価物が含まれることは言うまでもない。
【００９８】
また、本実施形態において、ハードウェアによって実現されていた構成の一部または全部をソフトウェアによって置き換えてもよく、逆に、ソフトウェアによって実現されていた構成の一部をハードウェアによって置き換えてもよい。
【００９９】
本実施の形態の媒体判別処理においては、ユーザーは、図２に示されるユーザーインタフェース上において媒体を選択し、積層された状態の媒体を給紙トレーにセットした。そして、コントローラ６０は、受光素子５３の出力に基づいて媒体の種類が普通紙、コート紙、光沢紙、あるいは、ＯＨＰであるかを判断した。そして、コントローラ６０は、受光素子５６の出力に基づいて、蛍光増白剤の有無、又は媒体の厚さを判断した。しかしながら、薄い媒体か、厚い媒体かが予め分かっている場合には、コントローラ６０は、受光素子５６の出力に基づいてそれぞれの媒体が蛍光増白剤を含む媒体であるか、蛍光増白剤を含まない媒体であるかを判断すればよい。この場合、受光素子５６は、媒体に含まれる蛍光増白剤から発せられる光を受光すればよいので、受光素子５６は、図１７に示されるように媒体Ｓに対して発光素子５５と同じ側に設けることもできる。
【０１００】
また、本実施の形態においては、発光素子５５からは、紫外線が照射された。しかしながら、発光素子５５から紫外線を含む他の光線を照射させることとしてもよい。
【０１０１】
前述の実施形態においては、コントローラ６０は、第１のセンサ５１及び第２のセンサ５４に基づいて、警告を行っていた。しかし、第１のセンサ５１及び第２のセンサ５４の検出結果の利用方法は、これに限られるものではない。例えば、コントローラ６０が、第１のセンサ５１及び第２のセンサ５４に基づいて媒体の種類を判別し、その判別結果をプリンタドライバに送信し、プリンタドライバが、受信した媒体の種類の判別結果に基づいて、画像データを印刷データに変換しても良い。この場合、印刷装置は、２つのセンサの検出結果を同時に取得するのではなく、１つずつ取得するので、第２のセンサ５４の検出結果を取得してから媒体の種類を判別するまでの処理時間を早くすることができる。
【０１０２】
また、本実施の形態においては、ユーザーは、ユーザーインタフェース上から７種類に細分類された媒体のいずれかを選択した。
【０１０３】
しかしながら、印刷しようとする媒体が蛍光増白剤を含むか含まないか、薄いか厚いかを、ユーザーが判別できない場合がある。このような場合、ユーザーインタフェース上から４種類（普通紙、コート紙、光沢紙、及び、ＯＨＰ）に大分類された媒体のいずれかをユーザーに選択させることも可能である。この場合、コントローラ６０は、第１のセンサ５１の検出結果に基づいて、選択された媒体が普通紙、コート紙、光沢紙、及び、ＯＨＰのいずれかであるかを判別する。選択された媒体と第１のセンサ５１の検出結果に基づいて判別された媒体とが異なる場合、コントローラ６０は、表示装置１２００に警告画面を表示させる。選択された媒体と第１のセンサ５１の検出結果に基づいて判別された媒体とが同じ場合、コントローラ６０は、給紙ローラ２１を回転させ媒体を搬送する。そして、コントローラ６０は、第２のセンサ５４により媒体を検出する。コントローラ６０は、第１のセンサ５１、及び、第２のセンサ５４の検出結果に基づいて、搬送された媒体が７種類に細分類された媒体のいずれであるかを特定する。
【０１０４】
このような実施の形態においては、コントローラ６０は、搬送された媒体をその特性（媒体が蛍光増白剤を含むか含まないか、薄いか厚いか）に基づき、さらに細分類して特定している。そして、コントローラ６０は、特定された媒体に最も適した印刷モードで媒体に印刷処理を実行する。このような実施の形態においては、ユーザーは、ユーザーインタフェース上から普通紙、コート紙、光沢紙、及び、ＯＨＰのいずれかを選択するだけでよい。
【図面の簡単な説明】
【０１０５】
【図１】印刷システムの外観構成を示した説明図である。
【図２】プリンタドライバのユーザーインタフェースの説明図である。
【図３】プリンタの全体構成のブロック図である。
【図４】プリンタの全体構成の横断面図である。
【図５】媒体判別装置を構成する第１のセンサ５１について説明するための説明図である。
【図６】媒体判別装置を構成する第１のセンサ５４について説明するための説明図である。
【図７】図７Ａは、１番上に蛍光増白剤を含まない媒体が位置し、その下部に蛍光増白剤を含む媒体が位置している場合に、入射角が小さい光が照射された様子を説明する説明図である。図７Ｂは、１番上に蛍光増白剤を含む媒体が位置し、その下部に蛍光増白剤を含む媒体が位置している場合に、入射角が小さい光が照射された様子を説明する説明図である。
【図８】図８Ａは、蛍光増白剤を含む薄い媒体に光が照射された場合の受光素子５６の出力について説明するための説明図である。図８Ｂは、蛍光増白剤を含まない薄い媒体に光が照射された場合の受光素子５６の出力について説明するための説明図である。図８Ｃは、蛍光増白剤を含む厚い媒体に光が照射された場合の受光素子５６の出力について説明するための説明図である。図８Ｄは、蛍光増白剤を含まない厚い媒体に光が照射された場合の受光素子５６の出力について説明するための説明図である。
【図９】媒体の種類と、受光素子５３、及び、受光素子５６の出力との関係について説明するための説明図である。
【図１０】媒体の種類と受光素子５３の出力との関係を表す実験データである。
【図１１】媒体の種類と受光素子５６の出力との関係を表す実験データである。
【図１２】ユーザーによって媒体の種類が選択されることを説明するためのフローチャートである。
【図１３】普通紙が判別されることを説明するためのフローチャートである。
【図１４】コート紙が判別されることを説明するためのフローチャートである。
【図１５】光沢紙が判別されることを説明するためのフローチャートである。
【図１６】ＯＨＰが判別されることを説明するためのフローチャートである。
【図１７】受光素子５６が、媒体Ｓに対して発光素子５５と同じ側に設けられていることを説明するための説明図である。
【符号の説明】
【０１０６】
１  プリンタ、
２０  搬送ユニット、２１  給紙ローラ、２３  搬送ローラ、２４  プラテン、
２５  排紙ローラ、
３０  キャリッジユニット、３１  キャリッジ、
４０  ヘッドユニット、４１  ヘッド、
５０  センサ群、５１  第１のセンサ、５２  発光素子、５３  受光素子、
５４  第２のセンサ、５５  発光素子、５６  受光素子、
５７  ロータリー式エンコーダ、５８  紙検出センサ、
６０  コントローラ、６１  インターフェース部、６２  ＣＰＵ、６３  メモリ、
６４  ユニット制御回路、
１０００  印刷システム、１１００  コンピュータ、１２００  表示装置、
１３００  入力装置、１３００Ａ  キーボード、１３００Ｂ  マウス、
１４００  記録再生装置、１４００Ａ  フレキシブルディスクドライブ装置、
１４００Ｂ  ＣＤ−ＲＯＭドライブ装置、
Ｓ  媒体
【図１】
2005335899.tif 000003
【図２】
2005335899.tif 000004
【図３】
2005335899.tif 000005
【図４】
2005335899.tif 000006
【図５】
2005335899.tif 000007
【図６】
2005335899.tif 000008
【図７】
2005335899.tif 000009
【図８】
2005335899.tif 000010
【図９】
2005335899.tif 000011
【図１０】
2005335899.tif 000012
【図１１】
2005335899.tif 000013
【図１２】
2005335899.tif 000014
【図１３】
2005335899.tif 000015
【図１４】
2005335899.tif 000016
【図１５】
2005335899.tif 000017
【図１６】
2005335899.tif 000018
【図１７】
2005335899.tif 000019